(57)【要約】【課題】記録媒体を透過したインクによって記録媒体が汚れてしまうことが抑制された記録装置を提供する。【解決手段】記録装置は、ベース板２３１と、ベース板２３１から突出し布帛１の下方から布帛１を支持可能な複数の突出部２３２と、を有する支持部２３と、支持部２３に支持される布帛１にインクを付与することにより記録を行う印刷部１０と、を備え、ベース板２３１の中央領域ＥＩ１において突出する複数の突出部２３２の密度は、中央領域ＥＩ１に対して周辺に位置する周辺領域ＥＯ１の突出部２３２の密度よりも低いことを特徴とする。【選択図】図３
2020175508.tif 000002
【特許請求の範囲】
【請求項１】
ベース部と、前記ベース部から突出し記録媒体の下方から前記記録媒体を支持可能な複数の突出部と、を有する支持部と、
前記支持部に支持される前記記録媒体に液体を付与することにより記録を行う記録部と、を備え、
前記ベース部の中央領域において突出する前記複数の突出部の密度は、前記中央領域に対して周辺に位置する周辺領域の前記突出部の密度よりも低いことを特徴とする記録装置。
【請求項２】
前記複数の突出部の内の一部の突出部は、前記ベース部から突出する突出状態と突出しない非突出状態との間で遷移可能であることを特徴とする請求項１に記載の記録装置。
【請求項３】
前記記録部に記録を実行させるための記録データに基づいて、前記突出部の前記突出状態と前記非突出状態とを選択し、前記中央領域および前記周辺領域の大きさを変更する制御部を備えることを特徴とする請求項２に記載の記録装置。
【請求項４】
水平面に設置されたときに、前記ベース部の上面が水平面に対して傾斜していることを特徴とする請求項１から請求項３のいずれか一項に記載の記録装置。
【請求項５】
前記記録媒体に当接する前記突出部の当接面が凹凸形状であることを特徴とする請求項１から請求項４のいずれか一項に記載の記録装置。
【請求項６】
ベース部と、前記ベース部から突出し記録媒体の下方から前記記録媒体を支持する突出状態と前記ベース部から突出しない非突出状態との間を遷移可能な突出部と、を有する支持部と、
前記支持部に支持される前記記録媒体に液体を付与することにより記録を行う記録部と、を備える記録装置における記録方法であって、
前記記録部に記録を実行させるための記録データに基づいて、前記突出部の前記突出状態と前記非突出状態とを選択し、前記突出部の密度が低い領域の位置および前記領域の大きさを制御して記録を行うことを特徴とする記録方法。
【発明の詳細な説明】
【技術分野】
【０００１】
本発明は、記録媒体に液体を付与することにより記録を行う記録装置、およびその記録方法に関する。
【背景技術】
【０００２】
従来、例えば、特許文献１に記載されているように、布帛に印刷を行う布帛印刷装置が知られている。この布帛印刷装置は、布帛を下方から支持する支持面を有する支持部と、支持面上の布帛にインクを吐出するインク吐出部とを備えており、支持部は、支持面の中央領域における布帛に対する静止摩擦係数が、支持面の少なくとも一方向における両端部近傍領域の布帛に対する静止摩擦係数よりも大きい部分を有することを特徴としている。具体的には、支持面の中央領域における布帛に対する静止摩擦係数が、支持面の少なくとも一方向における両端部近傍領域の布帛に対する静止摩擦係数よりも大きい部分を設けるために、支持面の両端部近傍領域を除いた領域に、例えば、滑り止めの布シートなどのシート状部材が貼られている。
【先行技術文献】
【特許文献】
【０００３】
【特許文献１】特開２００４−２９１４３０号公報
【発明の概要】
【発明が解決しようとする課題】
【０００４】
しかしながら、特許文献１に記載の布帛印刷装置では、ポリエステル生地などインク吸収性が低く、また織り目の粗い布帛に印刷を行うと、布帛に吸収されずに布帛を透過したインクにより、支持面や支持面に貼られた滑り止めの布シートなどのシート状部材が汚れてしまい、引き続く印刷において布帛を汚してしまう場合があるという課題があった。
【課題を解決するための手段】
【０００５】
本願の記録装置は、ベース部と、前記ベース部から突出し記録媒体の下方から前記記録媒体を支持可能な複数の突出部と、を有する支持部と、前記支持部に支持される前記記録媒体に液体を付与することにより記録を行う記録部と、を備え、前記ベース部の中央領域において突出する前記複数の突出部の密度は、前記中央領域に対して周辺に位置する周辺領域の前記突出部の密度よりも低いことを特徴とする。
【０００６】
上記の記録装置において、前記複数の突出部の内の一部の突出部は、前記ベース部から突出する突出状態と突出しない非突出状態との間で遷移可能であることが好ましい。
【０００７】
上記の記録装置において、前記記録部に記録を実行させるための記録データに基づいて、前記突出部の前記突出状態と前記非突出状態とを選択し、前記中央領域および前記周辺領域の大きさを変更する制御部を備えることが好ましい。
【０００８】
上記の記録装置が水平面に設置されたときに、前記ベース部の上面が水平面に対して傾斜していることが好ましい。
【０００９】
上記の記録装置において、前記記録媒体に当接する前記突出部の当接面が凹凸形状であることが好ましい。
【００１０】
本願の記録方法は、ベース部と、前記ベース部から突出し記録媒体の下方から前記記録媒体を支持する突出状態と前記ベース部から突出しない非突出状態との間を遷移可能な突出部と、を有する支持部と、前記支持部に支持される前記記録媒体に液体を付与することにより記録を行う記録部と、を備える記録装置における記録方法であって、前記記録部に記録を実行させるための記録データに基づいて、前記突出部の前記突出状態と前記非突出状態とを選択し、前記突出部の密度が低い領域の位置および前記領域の大きさを制御して記録を行うことを特徴とする。
【図面の簡単な説明】
【００１１】
【図１】実施形態１に係る記録装置としてのプリンターの斜視図である。
【図２】プリンターの内部構成を示す側面図である。
【図３】支持部を上方向から見た平面図である。
【図４】支持部のＡ−Ａ断面を示す断面図である。
【図５】図４Ｂ部を拡大視した概念図である。
【図６】実施形態２に係る記録装置が備える支持部を上方向から見た平面図である。
【図７】実施形態２に係る記録装置が備える支持部の要部断面図である。
【図８】変形例１に係る支持部の平面図である。
【図９】変形例１に係る支持部の平面図である。
【図１０】変形例２に係る支持部の要部側面図である。
【発明を実施するための形態】
【００１２】
以下に本願の発明を具体化した実施形態について、図面を参照して説明する。以下は、本願の発明の一実施形態であって、本願の発明を限定するものではない。なお、以下の各図においては、説明を分かりやすくするため、実際とは異なる尺度で記載している場合がある。また、図面に付記する座標においては、Ｚ軸方向が鉛直方向、＋Ｚ方向が上方向、Ｙ軸方向が前後方向、＋Ｙ方向が手前方向、Ｘ軸方向が左右方向、＋Ｘ方向が左方向、Ｘ−Ｙ平面が水平面としている。
【００１３】
（実施形態１）
図１は、実施形態１に係る記録装置としてのプリンター１００の斜視図、図２は、プリンター１００の内部構成を示す側面図である。
プリンター１００は、例えば図１に示すＴシャツなどの布帛１にインクを吐出して所望の画像を印刷するインクジェット式の捺染装置である。
ここで、布帛１は、本願における記録媒体であり、インクは、本願における液体である。また、印刷は、本願における記録の一形態である。
プリンター１００が行う印刷は、例えば、プリンター１００に接続されたパーソナルコンピューターやデジタルカメラなどの画像データ取得機器から受信する画像データに基づいて行われる。
プリンター１００は、布帛１に印刷を行う記録部としての印刷部１０、装置内において布帛１を搬送する搬送部２０、プリンター１００を操作するための操作部４０、プリンター１００の全体の動作を制御する制御部６０などを備えている。
【００１４】
印刷部１０は、布帛１の搬送方向であるＹ軸方向と交差するＸ軸方向に延びるガイド軸１１と、ガイド軸１１に摺接可能な状態で支持されたキャリッジ１２と、キャリッジ１２に保持され、インクを吐出する複数のノズルを有する印刷ヘッド１３と、キャリッジ１２をガイド軸１１の長手方向に沿って往復移動させる際の駆動源となるキャリッジモーターなどを備えている。なお、キャリッジモーターについては図示を省略している。
【００１５】
プリンター１００は、布帛１を搬送方向に移動させる搬送動作と、印刷ヘッド１３を布帛１の搬送方向と交差するＸ軸方向に走査移動させながら各ノズルからインク滴を吐出するドット形成動作とを交互に繰り返し、Ｘ軸方向に並ぶドットの列を搬送方向に並べて形成することで、布帛１上に画像の形成を行う。
【００１６】
印刷ヘッド１３は、インクの一例であるシアンインクＣ、マゼンタインクＭ、イエローインクＹ、黒色インクＫ、および下地形成用の白色インクＷを、制御部６０の制御に基づいて布帛１に吐出することで布帛１に印刷を行う。下地形成用の白色インクＷは、布帛１の色の影響を受けずに所望の発色の画像を形成する領域に対し、その下地を形成するために用いる。なお、白色インクＷは、白色の画像を形成する際にも、画像形成インクとして使用される。
それぞれのインクは、インクカートリッジ３からチューブなどを介して印刷ヘッド１３に供給される。また、画像には、文字、図形および記号などを含んでいる。
【００１７】
搬送部２０は、プリンター１００の前後方向、つまりＹ軸方向に延出する搬送基部２１と、搬送基部２１の内部でＹ軸方向に延びる搬送レール２２と、布帛１を支持する支持部２３と、搬送レール２２に沿って支持部２３をＹ軸方向に沿って移動させる際の駆動源となる搬送モーター２４などを備えている。
操作部４０は、ヒューマンインターフェイスとしての表示部や入力部を備えるタッチパネルであり、制御部６０に対する指示や、プリンター１００の操作に必要な情報の表示などを行う。
【００１８】
制御部６０は、プリンター１００全体の制御を行う演算処理部を備え、予め備えられたプログラムや、操作部４０からの指示に基づき、プリンター１００に接続された画像データ取得機器からの画像データの受信、受信した画像データに基づく記録データとしての印刷データの生成、印刷データに従った印刷ヘッド１３、キャリッジモーターおよび搬送モーター２４の駆動制御などを行う。
【００１９】
印刷データは、プリンター１００を駆動可能な、例えば、ＣＭＹＫＷ形式のデータであり、画像データ取得機器から受信した一般的なＲＧＢ形式の画像データに基づき生成される。ＣＭＹＫＷ形式の印刷データは、画像を形成する画素ごとに、シアンインクＣの使用量に応じた階調値、マゼンタインクＭの使用量に応じた階調値、イエローインクＹの使用量に応じた階調値、黒色インクＫの使用量に応じた階調値、および白色インクＷの使用量に応じた階調値を有している。
つまり、印刷データには、布帛１に対する画像の印刷領域の情報と、その印刷領域内における画素毎のインクの吐出量の情報が含まれている。
なお、印刷データの生成は、制御部６０で行うのではなく、例えば、プリンター１００に接続されたパーソナルコンピューターで生成し、プリンター１００に送信する方法であっても良い。
【００２０】
図３は、支持部２３を上方向から見た平面図、図４は、支持部２３のＡ−Ａ断面を示す断面図である。
支持部２３は、ベース部としてのベース板２３１、ベース板２３１から上方向に突出し布帛１を支持する複数の突出部２３２、布帛１を透過するインクを回収するインク回収部２３４、ベース板２３１を搬送レール２２に沿って移動可能に支持する支持台２３５などから構成されている。
なお、以下の説明は、プリンター１００がＸ−Ｙ平面、つまり水平面に設置された状態を前提として記載している。
【００２１】
ベース板２３１は、上方向からの平面視において、プリンター１００が印刷可能な印刷領域をカバーする大きさの矩形平板であり、その下面２３１１は、支持台２３５に固定されている。ベース板２３１の上面２３１２からは、布帛１をその下面から支持する支持面を構成する複数の突出部２３２が突出している。
【００２２】
ベース板２３１は、上面２３１２の最も低い位置が、インク回収部２３４が設けられた位置になるようにＸ−Ｙ平面に対して傾斜して設けられている。具体的には、図４に示すように、ベース板２３１の下面２３１１がＸ−Ｙ平面と平行となるように支持台２３５に取り付けた場合に、ベース板２３１の上面２３１２がＸ−Ｙ平面に対して傾斜面となるようにベース板２３１が構成されている。なお、ベース板２３１を一定の厚みの平板で構成し、ベース板２３１がＸ−Ｙ平面に対して傾斜するように支持台２３５に取り付けるようにしても良い。
上面２３１２の最も低い位置には、ベース板２３１を貫通する貫通孔２３１３が設けられている。上面２３１２の傾斜角度は、布帛１に向かって吐出され、布帛１を透過して上面２３１２に付着したインクが、容易に流れる程度の角度であることが好ましい。
【００２３】
突出部２３２は、ベース板２３１の上面２３１２から＋Ｚ方向に突出するニードルであり、図３に示すように、上面２３１２の全体に亘ってマトリクス状に複数配列されている。突出する複数の突出部２３２の先端は、布帛１を支持部２３に載置した場合に、布帛１の下面に当接して布帛１を支持する支持面を構成する。プリンター１００が水平面に設置されたときに、支持面を構成する複数の突出部２３２の先端は、同じ高さになり、支持面が水平面と平行になるように構成されている。
また、ベース板２３１の中央領域ＥＩ１において突出する複数の突出部２３２の密度は、中央領域ＥＩ１に対して周辺に位置する周辺領域ＥＯ１の突出部２３２の密度よりも低い。ここで、突出部の密度とは、単位面積当たりの突出部の数である。図３に示す例では、１１×１１のマトリクスで配置する中央領域ＥＩ１の突出部２３２の密度に対して、中央領域ＥＩ１の周囲の周辺領域ＥＯ１の突出部２３２の密度が倍となるように複数の突出部２３２を配置している。
【００２４】
インク回収部２３４は、容器２３４１と容器ホルダー２３４２などから構成されている。
容器ホルダー２３４２は、容器２３４１を着脱可能に支持する部材であり、ベース板２３１の下面２３１１に開口した貫通孔２３１３の下に容器２３４１が置かれるように、ベース板２３１の下側に設けられている。具体的には、例えば、平面視において、貫通孔２３１３および容器ホルダー２３４２は、容器２３４１を着脱しやすい支持部２３の前方向の右側に設けられている。
容器２３４１は、天部が開放された容器であり、貫通孔２３１３から流れ落ちるインクを内部に受け止めるように、容器ホルダー２３４２にセットされる。
【００２５】
図５は、図４に示すＢ部を拡大視した概念図である。なお、図５において、布帛１の図示は省略している。
図５に示すように、布帛１に当接する突出部２３２の当接面２３２Ｔは、曲面で構成されており、その表面には、凹凸が形成されている。この凹凸は、例えば、交差する溝を当接面２３２Ｔに形成することで構成しても良いし、当接面２３２Ｔにディンプルを形成することにより構成しても良い。
【００２６】
以上述べたように、本実施形態に係る記録装置によれば、以下の効果を得ることができる。
ベース板２３１から突出する複数の突出部２３２によって、布帛１をベース板２３１から離間するように支持することができるため、布帛１を透過してベース板２３１に付着するインクによって布帛１が汚れてしまうことが抑制される。
また、ベース板２３１の周辺領域ＥＯ１に比較して中央領域ＥＩ１の突出部２３２の密度が低いため、支持部２３にセットした布帛１を平面視した際に、ベース板２３１の中央領域ＥＩ１と重なる布帛１の領域に記録を行う頻度が高い場合においては、布帛１を透過するインクが、突出部２３２に付着してしまう割合が少なくなる。そのため、支持部２３に載置される布帛１が汚れてしまうことが抑制される。
【００２７】
また、布帛１を支持する複数の突出部２３２の密度が、中央領域ＥＩ１に比較して周辺領域ＥＯ１で高密度であるため、例えば、布帛１を、ベース板２３１の全体を覆い、周辺領域ＥＯ１から垂れ下がるように載置した場合に、布帛１の周辺をしっかり支持させることで、布帛１を全体に亘って平坦に、きちんとセットすることができる。例えば、布帛１の重量により、周辺で垂れ下がる部分によって引っ張られた場合であっても、布帛１は、布帛１との摩擦係数が高い周辺領域ＥＯ１によって支えられるため、印刷領域における布帛１の変形が抑制される。
【００２８】
また、プリンター１００を水平面に設置した場合に、ベース板２３１の上面２３１２が水平面に対して傾斜しているため、布帛１を透過してベース板２３１に付着するインクが流れ、ベース板２３１の上に溜まってしまうことが抑制される。また、流れたインクは、容器２３４１に回収される。その結果、インクがベース板２３１に溜まって、布帛１を汚してしまうことが抑制される。
【００２９】
また、布帛１に当接する突出部２３２の当接面２３２Ｔが凹凸形状であるため、当接面２３２Ｔが平坦な場合と比較して、布帛１を支持部２３に載置した際の布帛１との摩擦係数を高めることができる。その結果、布帛１をより安定してセットしておくことができる。
【００３０】
（実施形態２）
図６は、実施形態２に係る記録装置が備える支持部を上方向から見た平面図、図７は、その要部断面図である。
実施形態２における記録装置としてのプリンター１００Ａは、支持部２３に代わり支持部２３Ａを備えている。また、制御部６０は、後述する突出部昇降機構５０を駆動制御する。これらの点を除き、プリンター１００Ａは、プリンター１００と同じである。なお、プリンター１００Ａの図示は省略している。
以下、支持部２３Ａについて説明する。なお、実施形態１と同一の構成部位については、同一の番号を附し、重複する説明は省略する。
【００３１】
支持部２３Ａは、複数の突出部２３２の内の一部が、ベース板２３１から突出する突出状態と突出しない非突出状態との間で遷移可能であることを特徴としている。
支持部２３Ａは、ベース板２３１、突出部２３２Ｓ、突出部２３２Ｖ、インク回収部２３４、支持台２３５、突出部昇降機構５０などから構成されている。なお、図６、図７では、インク回収部２３４、支持台２３５の図示を省略している。
突出部２３２Ｖは、ベース板２３１から突出する突出状態と突出しない非突出状態との間で遷移可能な突出部２３２である。これに対して、突出したままの突出部２３２を突出部２３２Ｓとして説明する。
【００３２】
突出部２３２Ｖは、図７に示すように、ベース板２３１を貫通して設けられたスリーブ５１の内部をＺ軸方向に昇降可能なニードルであり、上面２３１２から＋Ｚ方向に突出可能な上部は、突出部２３２Ｓと同様に構成され、下面２３１１から−Ｚ方向に突出可能な下部には、突出部昇降機構５０が構成されている。
スリーブ５１は、その上部を上面２３１２から＋Ｚ方向に突出させることで、上面２３１２を流れるインクが、スリーブ５１の内部に入り込まないようにしている。
【００３３】
突出部昇降機構５０は、個々の突出部２３２Ｖを、ベース板２３１から突出する突出状態と突出しない非突出状態との間で遷移させることが可能な昇降機構である。突出部昇降機構５０は、個々の突出部２３２Ｖ毎に、個々の突出部２３２Ｖを独立して昇降可能に設けられている。
本実施形態では、図７に示すように、突出部昇降機構５０は、突出部２３２ＶをＺ軸方向に昇降可能とするウォームギア機構５２、ウォームギア機構５２を駆動する駆動モーター５３などから構成されている。
突出部２３２Ｖ毎に設けられる駆動モーター５３は、制御部６０によって駆動制御され、突出部２３２Ｖを、ベース板２３１から突出する突出状態と突出しない非突出状態との間で遷移させることができる。ここで、突出状態は、突出部２３２Ｖの当接面２３２Ｔが布帛１の下面に当接して布帛１を支持する支持面を構成する状態である。
【００３４】
突出部２３２Ｖは、例えば、図６に黒丸で示す位置に配置される。具体的には、突出状態にすることで、突出部２３２の密度が中央領域より高い周辺領域を形成し、非突出状態にすることで、突出部２３２の密度が低い中央領域を形成する位置に配置される。
図６に示す例では、突出部２３２Ｖを突出状態にすることで、図３に示す中央領域ＥＩ１および周辺領域ＥＯ１の状態と同じ状態を構成することができ、突出部２３２Ｖを非突出状態にすることで、中央領域ＥＩ１より広い中央領域ＥＩ２、および周辺領域ＥＯ１より狭い周辺領域ＥＯ２の状態を構成することができる。
【００３５】
なお、突出部２３２Ｖは、図６に示すような１列、１環の配置に限定するものではなく、複数列、複数環の配置にしても良い。
また、突出部昇降機構５０は、必ずしも個々の突出部２３２Ｖ毎に設ける必要はなく、例えば、同じ列に並ぶ突出部２３２Ｖのグループを一括して昇降させるように、突出部２３２Ｖの下部を連結し、突出部昇降機構５０を、そのグループ毎に設けるようにしても良い。
また、突出部昇降機構５０を駆動する機構は、本実施形態のように、駆動モーター５３によって昇降駆動されるウォームギア機構５２に限定するものではない。例えば、超音波モーター駆動、油圧駆動、圧空駆動などにより駆動される昇降機構であっても良い。
【００３６】
制御部６０は、突出部昇降機構５０の駆動制御に当たり、印刷部１０に印刷を実行させるための記録データとしての印刷データに基づいて、突出部２３２Ｖの突出状態と非突出状態とを選択し、突出部２３２の密度が低い中央領域、および、密度が高い周辺領域の大きさを変更する。
例えば、布帛１に対して印刷を行う画像の位置や大きさに対応させて、突出部２３２の密度が低い中央領域の位置や大きさを設定する。なお、突出部２３２Ｖを、複数列、複数環配置することで、突出部２３２の密度が低い中央領域の位置や大きさを、より細かく設定することができる。
【００３７】
また、本実施形態における記録方法としては、ベース板２３１と、ベース板２３１から突出し布帛１の下方から布帛１を支持する突出状態とベース板２３１から突出しない非突出状態との間を遷移可能な突出部２３２と、を有する支持部２３Ａと、支持部２３Ａに支持される布帛１にインクを付与することにより印刷を行う印刷部１０と、を備えるプリンター１００Ａにおける記録方法、つまりは印刷方法であって、印刷部１０に印刷を実行させるための印刷データに基づいて、突出部２３２の突出状態と非突出状態とを選択し、突出部２３２の密度が低い領域の位置および領域の大きさを制御して印刷を行うことを特徴としている。
【００３８】
以上述べたように、本実施形態に係る記録装置によれば、以下の効果を得ることができる。
布帛１を支持する一部の領域において、突出部２３２の密度を変更することができるため、印刷する画像や、印刷の仕様に対応させて、より適した支持の仕方で布帛１の支持を行うようにすることができる。
【００３９】
また、印刷する画像や、印刷の仕様が変わっても、都度、それぞれに対応させて、より適した支持の仕方で布帛１の支持を行うようにすることができる。
【００４０】
また、本実施形態の記録方法によれば、例えば、布帛１にインクをより多く付与する領域を支持する突出部２３２の密度が低くなるように制御を行うことで、布帛１を透過するインクが、突出部２３２に付着する割合が少なくなる。そのため、支持部２３に載置される布帛１が汚れてしまうことが抑制される。
【００４１】
なお、本願の発明は上述した実施形態に限定されず、上述した実施形態に種々の変更や改良などを加えることが可能である。変形例を以下に述べる。実施形態１と同一の構成部位については、同一の番号を附し、重複する説明は省略する。
【００４２】
（変形例１）
図８、図９は、変形例１に係る支持部２３Ｂ、支持部２３Ｃの平面図である。
実施形態１では、図３に示すように、支持部２３が有する突出部２３２は、ベース板２３１の上面２３１２から＋Ｚ方向に突出するニードルであると説明したが、この構成に限定するものではない。例えば、図８に示す突出部２３２Ｂや、図９に示す突出部２３２Ｃのように、リブで構成しても良い。
このような構成であっても、上述した実施形態と同様の効果を得ることができる。
【００４３】
（変形例２）
図１０は、変形例２に係る支持部２３Ｄの要部側面図である。
実施形態２では、図７に示すように、突出部昇降機構５０によって、突出部２３２ＶをＺ軸方向に上下させることで、突出部２３２Ｖがベース板２３１から突出する突出状態と突出しない非突出状態とを遷移させると説明した。また、突出部昇降機構５０は、制御部６０によって、その駆動が制御されると説明した。しかしながら、突出部２３２の状態を遷移させるための構成は、このようにＺ軸方向に昇降させる方法に限定するものではない。例えば、図１０に示すように、一部の突出部２３２の突出部２３２Ｒを、ベース板２３１の上面２３１２に設けた軸受５５に回動軸を支持されて回動するように構成し、突出部２３２Ｒを回動させることにより、突出部２３２Ｒがベース板２３１から突出する突出状態と突出しない非突出状態とを遷移させても良い。
回動は、例えば、制御部６０によるモーター駆動によって行うように構成しても良いし、手動で行うようにしても良い。
このような構成であっても、上述した実施形態と同様の効果を得ることができる。
【００４４】
（変形例３）
実施形態２では、制御部６０は、突出部昇降機構５０の駆動制御に当たり、印刷部１０に印刷を実行させるための記録データとしての印刷データに基づいて、突出部２３２Ｖの突出状態と非突出状態とを選択し、突出部２３２の密度が低い中央領域、および、密度が高い周辺領域の大きさを変更すると説明した。これに対して、制御部６０は、布帛１の属性情報に基づいて、突出部２３２Ｖの突出状態と非突出状態とを選択し、突出部２３２の密度が低い中央領域、および、密度が高い周辺領域の大きさを変更するようにしても良い。布帛１の属性情報とは、布帛１の種類を特定することができる情報であり、例えば、布帛１の製品名や製品型番である。また、布帛１の属性情報は、例えば、材質名や布帛１を構成する仕様などの情報であっても良い。
具体的には、例えば、インク吸収性が高く、また織り目が細かいため、インクが布帛１を透過してしまうことが危惧されない場合においては、突出部２３２の密度が低い中央領域の大きさを小さくし、布帛１を支持する突出部２３２の数を多くする制御を行う。
【００４５】
以下に、実施形態から導き出される内容を記載する。
【００４６】
本願の記録装置は、ベース部と、前記ベース部から突出し記録媒体の下方から前記記録媒体を支持可能な複数の突出部と、を有する支持部と、前記支持部に支持される前記記録媒体に液体を付与することにより記録を行う記録部と、を備え、前記ベース部の中央領域において突出する前記複数の突出部の密度は、前記中央領域に対して周辺に位置する周辺領域の前記突出部の密度よりも低いことを特徴とする。
【００４７】
この構成によれば、ベース部から突出する複数の突出部によって、記録媒体をベース部から離間するように支持することができるため、記録媒体を透過してベース部に付着する液体によって記録媒体が汚れてしまうことが抑制される。
また、ベース部の周辺領域に比較して中央領域の突出部の密度が低いため、支持部にセットした記録媒体を平面視した際に、ベース部の中央領域と重なる記録媒体の領域に記録を行う頻度が高い場合においては、記録媒体を透過する液体が、突出部に付着してしまう割合が少なくなる。そのため、支持部に載置される記録媒体が汚れてしまうことが抑制される。
【００４８】
また、記録媒体を支持する複数の突出部の密度が、中央領域に比較して周辺領域で高密度であるため、例えば、布帛などの記録媒体を、ベース部の全体を覆い、周辺領域から垂れ下がるように載置した場合に、記録媒体の周辺をしっかり支持させることで、記録媒体を全体に亘って平坦に、きちんとセットすることができる。
【００４９】
上記の記録装置において、前記複数の突出部の内の一部の突出部は、前記ベース部から突出する突出状態と突出しない非突出状態との間で遷移可能であることが好ましい。
【００５０】
この構成によれば、記録媒体を支持する一部の領域において、突出部の密度を変更することができるため、記録する画像や、記録の仕様に対応させて、より適した支持の仕方で記録媒体の支持を行うようにすることができる。
【００５１】
上記の記録装置において、前記記録部に記録を実行させるための記録データに基づいて、前記突出部の前記突出状態と前記非突出状態とを選択し、前記中央領域および前記周辺領域の大きさを変更する制御部を備えることが好ましい。
【００５２】
この構成によれば、記録する画像や、記録の仕様が変わっても、都度、それぞれに対応させて、より適した支持の仕方で記録媒体の支持を行うようにすることができる。
【００５３】
上記の記録装置が水平面に設置されたときに、前記ベース部の上面が水平面に対して傾斜していることが好ましい。
【００５４】
この構成によれば、記録媒体を透過してベース部に付着する液体が流れ、ベース部の上に溜まってしまうことが抑制される。その結果、液体がベース部に溜まって、記録媒体を汚してしまうことが抑制される。
【００５５】
上記の記録装置において、前記記録媒体に当接する前記突出部の当接面が凹凸形状であることが好ましい。
【００５６】
この構成によれば、記録媒体に当接する突出部の当接面が平坦な場合と比較して、記録媒体を支持部に載置した際の記録媒体との摩擦係数を高めることができるため、記録媒体をより安定してセットしておくことができる。
【００５７】
本願の記録方法は、ベース部と、前記ベース部から突出し記録媒体の下方から前記記録媒体を支持する突出状態と前記ベース部から突出しない非突出状態との間を遷移可能な突出部と、を有する支持部と、前記支持部に支持される前記記録媒体に液体を付与することにより記録を行う記録部と、を備える記録装置における記録方法であって、前記記録部に記録を実行させるための記録データに基づいて、前記突出部の前記突出状態と前記非突出状態とを選択し、前記突出部の密度が低い領域の位置および前記領域の大きさを制御して記録を行うことを特徴とする。
【００５８】
この構成によれば、例えば、記録媒体に液体をより多く付与する領域を支持する突出部の密度が低くなるように制御を行うことで、記録媒体を透過する液体が、突出部に付着する割合が少なくなる。そのため、支持部に載置される記録媒体が汚れてしまうことが抑制される。
【符号の説明】
【００５９】
１…布帛、３…インクカートリッジ、１０…印刷部、１１…ガイド軸、１２…キャリッジ、１３…印刷ヘッド、２０…搬送部、２１…搬送基部、２２…搬送レール、２３…支持部、２４…搬送モーター、４０…操作部、５０…突出部昇降機構、５１…スリーブ、５２…ウォームギア機構、５３…駆動モーター、５５…軸受、６０…制御部、１００…プリンター、２３１…ベース板、２３２…突出部、２３２Ｔ…当接面、２３４…インク回収部、２３５…支持台、２３１１…ベース板２３１の下面、２３１２…ベース板２３１の上面、２３１３…貫通孔、２３４１…容器、２３４２…容器ホルダー、ＥＩ１…中央領域、ＥＩ２…中央領域、ＥＯ１…周辺領域、ＥＯ２…周辺領域。
【図１】
2020175508.tif 000003
【図２】
2020175508.tif 000004
【図３】
2020175508.tif 000005
【図４】
2020175508.tif 000006
【図５】
2020175508.tif 000007
【図６】
2020175508.tif 000008
【図７】
2020175508.tif 000009
【図８】
2020175508.tif 000010
【図９】
2020175508.tif 000011
【図１０】
2020175508.tif 000012